(57)【特許請求の範囲】
【請求項１】
先端側から円筒状の印刷用版が嵌め込まれて装着される版装着面を有する版胴であって
、
前記先端側の端部にフロントストッパーが設けられ、
前記フロントストッパーは、少なくともその一部が前記版装着面より径方向外側に突出するように位置する突出姿勢と、その全体が前記版装着面よりも径方向内側に位置する退避姿勢と、に切り替え可能に構成されることを特徴とする版胴。
【請求項２】
前記版胴の外周面に径方向内外へ移動可能に設けられ、前記印刷用版を前記版装着面に密着固定させる版固定部材を有し、
前記フロントストッパーは、前記版固定部材の径方向外側への移動に連動して、姿勢が切り替わることを特徴とする請求項１に記載の版胴。
【請求項３】
前記フロントストッパーは、前記版固定部材を移動動作させる回転軸の回転動作に連動して姿勢が切り替わることを特徴とする請求項２に記載の版胴。
【請求項４】
前記フロントストッパーは、前記突出姿勢での固定を可能にする固定手段を有することを特徴とする請求項１〜３のいずれかに記載の版胴。
【請求項５】
前記先端側と対向する基端側に設けられるエンドストッパーを有することを特徴とする請求項１〜４のいずれかに記載の版胴。
【請求項６】
請求項１〜５のいずれかに記載の版胴を備えることを特徴とする版装着装置。
【発明の詳細な説明】
【技術分野】
【０００１】
本発明は、円筒状印刷用版の装着後のズレを防止する版胴に関する。
【背景技術】
【０００２】
従来、円筒状に形成された印刷用版が、版駆動軸に固定状に設けられた円筒状の版胴の外周面に、版駆動軸の先端側から取付けられるものが知られている。
【０００３】
特許文献１の版胴には、先端側から版の係合部が嵌められる周方向位置決め用みぞと、版胴の後端側に配置され、印刷用版の端部が当接する軸方向位置決め用ストッパーと、が設けられている。
【先行技術文献】
【特許文献】
【０００４】
【特許文献１】特許４９２５４７１号公報
【発明の概要】
【発明が解決しようとする課題】
【０００５】
しかしながら、特許文献１のような版胴では、印刷用版の係合部が周方向位置決め用みぞに嵌め込まれることにより印刷用版が周方向に動く虞はないが、軸方向には、版胴の後端面にしかストッパーが設けられていないため、版胴の後端側への印刷用版のズレは防止できても先端側への印刷用版のズレが生じる虞があった。
【課題を解決するための手段】
【０００６】
本発明は、上述した技術背景に鑑み、版胴に装着された円筒状印刷用版のズレを確実に防止するストッパーの提供を目的とする。
【０００７】
即ち、本発明は下記［１］〜［６］に記載の構成を有する。
【０００８】
［１］  先端側から円筒状の印刷用版が嵌め込まれて装着される版装着面を有する版胴であって、
前記先端側の端部にフロントストッパーが設けられ、
前記フロントストッパーは、少なくともその一部が前記版装着面より径方向外側に突出するように位置する突出姿勢と、その全体が前記版装着面よりも径方向内側に位置する退避姿勢と、に切り替え可能に構成されることを特徴とする版胴。
【０００９】
［２］  前記版胴の外周面に径方向内外へ移動可能に設けられ、前記印刷用版を前記版装着面に密着固定させる版固定部材を有し、
前記フロントストッパーは、前記版固定部材の径方向外側への移動に連動して、姿勢が切り替わることを特徴とする前項１に記載の版胴。
【００１０】
［３］  前記フロントストッパーは、前記版固定部材を移動動作させる回転軸の回転動作に連動して姿勢が切り替わることを特徴とする前項２に記載の版胴。
【００１１】
［４］  前記フロントストッパーは、前記突出姿勢での固定を可能にする固定手段を有することを特徴とする前項１〜３のいずれかに記載の版胴。
【００１２】
［５］  前記先端側と対向する基端側に設けられるエンドストッパーを有することを特徴とする前項１〜４のいずれかに記載の版胴。
【００１３】
［６］  前項１〜５のいずれかに記載の版胴を備えることを特徴とする版装着装置。
【発明の効果】
【００１４】
上記［１］に記載の発明によれば、先端側から円筒状の印刷用版が嵌め込まれて装着される版装着面を有する版胴であって、先端側の端部にフロントストッパーが設けられ、フロントストッパーは、少なくともその一部が版装着面より径方向外側に突出するように位置する突出姿勢と、その全体が版装着面よりも径方向内側に位置する退避姿勢と、に切り替え可能に構成されるので、版胴の版装着面に印刷用版を取り付けてフロントストッパーを突出姿勢に切り替えると、印刷用版の端部がフロントストッパーの少なくとも一部に当接して印刷用版が先端側へずれることや脱落することを確実に防止することができる。
【００１５】
また、フロントストッパーを退避姿勢に切り替えることにより、版胴の外径が印刷用版の内径よりも小さくなるので、版胴の先端側から印刷用版を容易に着脱することができる。
【００１６】
上記［２］に記載の発明によれば、版胴の外周面に径方向内外へ移動可能に設けられ、印刷用版を版装着面に密着固定させる版固定部材を有し、フロントストッパーは、版固定部材の径方向外側への移動に連動して、姿勢が切り替わるので、版固定部材が版胴の径方向外側へ移動する動作に連動してフロントストッパーの姿勢が切り替わることにより、印刷用版が先端側へずれることや脱落することを防止するとともに、版固定部材によって印刷用版を版胴の径方向外側へ押す押圧状態にして、印刷用版のズレや脱落をより確実に防止することができる。
【００１７】
また、印刷用版が先端側へずれることや脱落することの防止操作と、印刷用版を版胴の版装着面に密着させるための操作を一つの操作で同時に行うことができるので操作の手間が省ける。
【００１８】
上記［３］に記載の発明によれば、フロントストッパーは、版固定部材を移動動作させる回転軸の回転動作に連動して姿勢が切り替わるので、フロントストッパー及び版固定部材が同軸に設けられる単純な構造で構成することができる。
【００１９】
また、フロントストッパーを回転させるだけの単純操作でフロントストッパーの突出姿勢及び退避姿勢を相互に切り替えることができ、印刷用版の着脱に伴う操作が容易である。
【００２０】
上記［４］に記載の発明によれば、フロントストッパーは、突出姿勢での固定を可能にする固定手段を有するので、フロントストッパーを位置固定しておけば、印刷中などに不本意に姿勢が切り替わるなどする虞がなく、印刷用版が先端側へずれることや脱落することを常時防止しておくことができる。
【００２１】
上記［５］に記載の発明によれば、先端側と対向する基端側に設けられるエンドストッパーを有するので、版胴の外周面に取り付けた印刷用版の端部がエンドストッパーに当接して印刷用版が先端側へずれることや脱落することを確実に防止することができる。
【００２２】
版胴の先端側及び後端側の両側にストッパーが設けられることにより、版胴に装着された印刷用版の軸方向へのズレや脱落を防止するとともに、版固定部材によって印刷用版を版胴の径方向外側へ押す押圧状態にして、版胴の軸方向に対する印刷用版のズレや脱落を確実に防止することができる。
【００２３】
上記［６］に記載の発明によれば、前項１〜５のいずれかに記載の版胴を備えるので、版胴の版装着面に印刷用版を取り付けてフロントストッパーを突出姿勢に切り替えると、印刷用版の端部がフロントストッパーの少なくとも一部に当接して印刷用版が先端側方向へずれることや脱落することを確実に防止することができる。
【００２４】
また、フロントストッパーを退避姿勢に切り替えることにより、版胴の外径が印刷用版の内径よりも小さくなるので、版胴の先端側から印刷用版を容易に着脱することができる。
【図面の簡単な説明】
【００２５】
【図１】本発明のフロントストッパーが設けられた版胴の全体図である。
【図２】本発明のフロントストッパーを説明するための版胴の構造断面図である。
【図３】本発明のフロントストッパーを説明するためのカム機構の構造説明図である。
【図４】本発明のフロントストッパーの姿勢を説明するための操作説明図である。
【図５】本発明のフロントストッパーにより規制される印刷用版の斜視図である。
【発明を実施するための形態】
【００２６】
以下、図面を参照して、本発明の実施形態について説明する。
【００２７】
図１は、フロントストッパー４が設けられた版胴１の全体図、図２は、フロントストッパー４を説明するための版胴１の構造断面図、図３は、フロントストッパー４を説明するためのカム機構の構造説明図、図４は、フロントストッパー４の操作を説明するための操作説明図、図５は、フロントストッパー４により規制される印刷用版３の斜視図である。
【００２８】
まず、図１〜４を参照して、版胴１に装着された円筒状の印刷用版３の先端側へのズレを確実に防止するためのフロントストッパー４が設けられた版胴１を備える版装着装置について説明する。
【００２９】
以降では、図１に示す版胴１の上下を上下とし、左側を前面或いは先端、右側を後面或いは後端とし、前面から見て左右を左右とする。
【００３０】
版装着装置は、印刷対象物に対して印刷を行う印刷機、印刷機に用いられる印刷用版３に対して印刷模様を彫刻する彫刻機に共通して備えられるものである。
【００３１】
版胴１に装着される印刷用版としては、円筒状に形成された印刷用版３、特に、小径の印刷用版３が用いられる。
【００３２】
印刷される被印刷物は飲料用金属缶であり、特にアルミニウム又はアルミニウム合金製の平板を、ドロー＆アイアニング（ＤＩ）成形した有底円筒状の飲料用金属缶が好適に印刷される。
【００３３】
版装着装置は、印刷機の機枠から前方に突出するように設けられた版駆動軸１００と、版駆動軸１００の先端部側から嵌め込まれて、版駆動軸１００の外周面に固定される版胴１と、を備えている（図２参照）。
【００３４】
版駆動軸１００は、その基端部側が印刷機の機枠に回転支持され、公知の駆動手段により所定方向に所定速度で回転させられる。
【００３５】
版胴１は、円筒状に形成され、版駆動軸１００が挿通させられる挿通孔がその中心に設けられている。
【００３６】
版胴１の外周には、版駆動軸１００と同心の円筒状の版装着面１２が形成されており、版装着面１２には、後に詳述する印刷用版３が着脱可能に設けられる。
【００３７】
版胴１は、重量軽減のために内部が取り除かれて空洞になっており、外周に版装着面１２が形成された円筒部と、版胴１の前面を覆う蓋部１５と、を備えている。
【００３８】
版胴１は、挿通孔に版駆動軸１００を嵌め合わせた状態で版駆動軸１００に固定され、版駆動軸１００と一体となって回転する。
【００３９】
版装着面１２は、装着された印刷用版３の内面との摩擦抵抗による固定力を確保するため、その表面粗さはＲａ１μｍ以下程度で静摩擦を保つことが望ましい。
【００４０】
また、その表面粗さを小さく保ち、かつ表面に傷が付きにくい点を考慮すると、版装着面１２は、ハードクロム塗装（メッキ）することが好ましい。
【００４１】
印刷用版３には、弾性材料で円筒状に形成された版本体３１と、版本体３１の外周面の一部に形成された、樹脂層からなる版部３２とが備えられている（図５参照）。
【００４２】
版本体３１は、弾性材料製シートが円筒状に形成されて両端部が重ね合わされて接合されることにより構成され、版部３２は、接合部分を除く版本体３１の外周面の所定箇所に設けられている。
【００４３】
弾性材料製シートは、磁性あるいは非磁性の適当な金属等の長方形状の弾性材料製シートからなり、例えば、市販のブリキ板（Ｆｅ）が採用され、シートの厚さは、円筒状に形成できて、かつ弾性力により円筒状を保持できる程度であればよく、この例では、約０．２６ｍｍである。
【００４４】
版本体３１には、版部３２となる樹脂層がその片面に形成されており、この樹脂層は、例えばポリビニルアルコール系、ビニルエステル系またはポリアミド系等の樹脂を採用することができ、ショアＤ硬度で例えば硬化後Ｄ２０〜８０程度のものが好適である。
【００４５】
例えば、通常のオフセット印刷用のＵＶ硬化樹脂（紫外線硬化樹脂）を採用すると、それ以外の硬化樹脂のような溶剤や高圧スチームによる煩雑な洗浄作業を必要とせず、一般に水洗浄で容易に洗浄作業を行うことができる。
【００４６】
樹脂層の厚さは、印刷の版部３２として必要な厚みがあればよく、この例では、弾性材料製シートの片面に厚さ０．４ｍｍ〜０．６ｍｍの層を接着させている。
【００４７】
円筒状に形成された印刷用版３は、版胴１の先端側から嵌め込まれることによって、版胴１の外周面である版装着面１２に装着される。
【００４８】
印刷用版３の版部３２は、印刷用版３が版胴１に装着されたときに版装着面１２に密着する版本体３１の外面部分に形成されている。
【００４９】
版胴１には、円筒部の一部が取り除かれて、平坦な面が形成されてなる版固定部材装着面１４が設けられており、円筒部の外周の版固定部材装着面１４を除く部分が印刷用版３の装着される版装着面１２となっている（図４参照）。
【００５０】
版固定部材装着面１４には、版胴１の外周面に径方向内外へ移動可能に設けられた、印刷用版３を固定するための版固定部材２が設けられている。
【００５１】
版固定部材装着面１４は、版装着面１２を含む円筒面よりも径方向内側に位置している。
【００５２】
版装着面１２の外径と、印刷用版３の内径は、略同等の寸法となるように設定される。
【００５３】
版胴１が版固定部材装着面１４を有しているため、版装着面１２と版固定部材装着面１４を合計した周長は、版胴１の版装着面１２が形成する円筒面の周長より短くなる。
【００５４】
印刷用版３の内周面の周長は、版胴１の版装着面１２と版固定部材装着面１４を合計した周長よりも僅かに大きく、版胴１の版装着面１２が形成する円筒面の周長より僅かに小さい寸法に設定されている。
【００５５】
これにより、版胴１に対する印刷用版３の挿入を容易なものとするとともに、版固定部材２に押された部位が印刷用版３の他の部位より径方向外側に突出する事態を回避することができるようになっている。
【００５６】
版固定部材装着面１４には、版固定部材装着面１４の軸方向長さの大部分にわたり、径方向外側から見て、軸方向に長い方形状に形成された溝部１３が形成されている。
【００５７】
当該溝部１３の横断面形状は方形状で、溝部１３の両側壁１３１，１３３および底壁１３２は平坦面である（図３参照）。
【００５８】
溝部１３には、版固定部材２が版胴１の径方向に移動可能に嵌め込まれており、版固定部材２は、その内部に版胴１の軸方向に延びる回転軸２２が設けられている。
【００５９】
版固定部材２は、回転軸２２の回転に伴って、版胴１の内部で位置移動可能に構成されている。
【００６０】
版固定部材２は、軸方向に長い方形状に形成され、版胴１の径方向に移動しうるように版固定部材装着面１４に形成された溝部１３に嵌められている。
【００６１】
版固定部材２は、版胴１の溝部１３の軸方向両端壁に対して周方向及び軸方向にほぼ隙間なく嵌まり、周方向両側壁１３１，１３３及び軸方向両端壁の面と平行に版胴１の径方向に移動する。
【００６２】
版固定部材２の径方向外側の端面２５は、版装着面１２と同じ曲率、或いは同程度の曲率の円筒面で形成されている。
【００６３】
尚、版固定部材２の径方向外側の端面２５は、版装着面１２と同じ曲率、或いは同程度の曲率の円筒面で形成されることが好ましいが、版固定部材装着面１４と平行な平坦面で形成されるのであってもよい。
【００６４】
版固定部材２は、印刷用版３の版部３２を含む外表面が形成する円筒面の内側の範囲内で、版胴１に装着された印刷用版３の一部を径方向内側から径方向外側に押して拡径するようになっている。
【００６５】
版固定部材２は、その中央部に版固定部材２の長さ方向に渡るカム孔２４を有し、カム孔２４の内部には、回転軸２２及び回転軸２２の外周に固着された偏心カム２３が設けられている。
【００６６】
版固定部材２には、横断面形状が楕円形状、この例では、楕円の長径が版固定部材装着面１４と平行になるようにカム孔２４が形成されている。
【００６７】
カム孔２４は、その内周壁の少なくとも一部に偏心カム２３の外周の一部が当接するように構成されている。
【００６８】
回転軸２２は、カム孔２４の内部に遊嵌状態で設けられ、回転軸２２の外周に固着された偏心カム２３を回転させるためのものである。
【００６９】
回転軸２２は、版固定部材２の内部において回転可能に構成されており、例えば、版胴１の後面側から前面の蓋部１５を突き抜けるように、版胴１の軸方向に伸びて設けられている。
【００７０】
回転軸２２の先端部は、版胴１の前面の蓋部１５を突き抜け、回転軸２２を回転操作するための操作部２２１となっている（図１参照）。
【００７１】
尚、この例では、回転軸２２は版胴１の軸方向に伸びる方形状の軸として説明するが、回転軸２２は円筒状に形成されたものであってもよく、その形状は特に限定されるものではない。
【００７２】
偏心カム２３は、真円状に形成された適度な厚みを有する板状の部材であり、偏心カム２３の中心位置から僅かに偏った位置で、厚み方向に貫通する軸孔２１が設けられている（図３参照）。
【００７３】
軸孔２１には回転軸２２が挿入され、偏心カム２３は、回転軸２２の外周の軸方向に所定の間隔で固定的に複数取り付けられ、回転軸２２の回転に連動して回転運動するように構成されている（図２参照）。
【００７４】
回転軸２２が偏心カム２３の中心位置から僅かに偏った位置に取り付けられているため、回転軸２２の回転により偏心カム２３の外周の任意の点が、カム孔２４の楕円円周上を移動する。
【００７５】
具体的にこの例では、図３（ａ）の一点鎖線上に位置している偏心カム２３の外周の一点が、図３（ｃ）に到達するまでにカム孔２４の円周上の少なくとも一部を移動していることがわかる。
【００７６】
図３（ａ）は、版固定部材２が最も版胴１の径方向内側に位置する場合を表し、図３（ｃ）は、版固定部材２が最も版胴１の径方向外側に位置する場合を表している。
【００７７】
偏心カム２３の中心位置は、版固定部材２が最下位置に位置している図３（ａ）では、回転軸２２の中心Ｃと高さ方向に最大でＧのズレ幅が生じ、版固定部材２が最上位置に位置している図３（ｃ）では、偏心カム２３の中心位置が、回転軸２２の中心Ｃと高さ方向に最大でＧのズレ幅が生じるように設定されている。
【００７８】
回転軸の回転中心Ｃの位置は変化しないので、偏心カム２３が回転することによって、版固定部材２の径方向外側の端面２５の高さ位置は、最大で２Ｇのズレ幅で変化することになる。
【００７９】
このように、版固定部材２は、偏心カム２３の回転に連動して、溝部１３の軸方向両端壁に平行且つ径方向に移動する。
【００８０】
図３（ａ）の版固定部材２が最も版胴１の径方向内側に位置する場合の版固定部材装着面１４と版固定部材２の端面２５との最小位置幅ＰＬと最大位置幅ＰＨ比較すると、最大位置幅ＰＨは、回転軸２２の回転中心Ｃと偏心カム２３の中心位置との最大のズレ幅Ｇの２倍分径方向外側に変化していることになる。
【００８１】
版固定部材２によって印刷用版３を押圧する必要がないときなどには、版固定部材２を版装着面１２よりも径方向内側の位置に保持することができる。
【００８２】
版胴１の円筒部の後端面の外周部には、印刷用版３の軸方向の装着位置を決めるためのエンドストッパー１６が固定されている（図１参照）。
【００８３】
エンドストッパー１６は、版装着面１２より径方向外側に少し張り出した円環状に形成されている。
【００８４】
エンドストッパー１６は、印刷用版３が版胴１の先端側から嵌め込まれると、印刷用版３の後端部側が当接するように構成されている。
【００８５】
エンドストッパー１６が設けられることにより、印刷用版３の後端部を版胴１の所定位置に正確に且つ簡単に取付けられるようになる。
【００８６】
先端側と対向する基端側に設けられるエンドストッパー１６を有するので、版胴１の外周面に取り付けた印刷用版３の端部がエンドストッパー１６に当接して印刷用版３が後端側へずれることや脱落することを確実に防止することができる。
【００８７】
版胴１の先端側及び後端側の両側にストッパー４，１６が設けられることにより、版胴１に装着された印刷用版３の軸方向へのズレや脱落を防止するとともに、版固定部材２によって印刷用版３を版胴１の径方向外側へ押す押圧状態にして、版胴１の軸方向に対する印刷用版３のズレや脱落を確実に防止することができる。
【００８８】
版胴１の下側且つエンドストッパー１６の手前側には、印刷用版３の周方向の位置決めをするための周方向位置決め用突部１１が設けられている。
【００８９】
周方向位置決め用突部１１は、例えば、版胴１の径方向外側へ僅かに突出した段部として、平面視で円形状に形成されている。
【００９０】
印刷用版３は、接合部３３と対向する側の一端部（図１（ａ）の紙面に向かって右下側）に、版胴１の周方向位置決め用突部１１に嵌め合わせられる嵌合部３４が設けられている。
【００９１】
嵌合部３４は、印刷用版３の軸方向に延びる切欠きが形成されてなり、端部に周方向位置決め用突部１１の外周形状と一致する円弧が形成されている。
【００９２】
印刷用版３が版胴１の後端側まで装着されると、印刷用版３の嵌合部３４の円弧状面が、周方向位置決め用突部１１の外周面に当接することによって印刷用版３の周方向の位置決めができる。
【００９３】
エンドストッパー１６が設けられた版胴１の後端と反対側、即ち、版胴１の先端側の上部には、フロントストッパー４が設けられている。
【００９４】
フロントストッパー４は、カム孔２４に設けられた回転軸２２の先端側に固着されたストッパー本体４１を備え、ストッパー本体４１には、厚み方向に貫通する孔である操作許容孔４２が形成されている。
【００９５】
ストッパー本体４１は、適度な厚みを有する板状部材からなり、図４（ａ），（ｂ）に示すように、例えば、正面視で真円の外周の一部を切り欠いた形状に形成されている。
【００９６】
この例では、ストッパー本体４１は、版胴１の前面の蓋部１５の一部が取り除かれて形成された凹部に配置されている。
【００９７】
ストッパー本体４１の中心部には、円形孔４５が形成され、円形孔４５には回転軸２２が挿入されて、ストッパー本体４１が固定的に取り付けられる。
【００９８】
ストッパー本体４１は、回転軸２２の回転に連動して回転動作するように構成され、ストッパー本体４１よりも先端側に突出した回転軸２２の先端部は、回転操作する際に摘ままれるなどして操作される操作部２２１となっている（図１参照）。
【００９９】
尚、操作部２２１の先端部の×で示された部位は、内部が刳り貫かれて形成された溝である。
【０１００】
操作許容孔４２は、ストッパー本体４１を前面側から見ると、回転軸２２の外周に設けられ、ストッパー本体４１の外周円の一部に沿った長穴として形成されている。
【０１０１】
操作許容孔４２は、この例では、ストッパー本体４１の切欠部４４の対向位置に配置されている（図４参照）。
【０１０２】
操作許容孔４２には、一端が版胴１に固定されたロックボルトやキャップスクリューなどの部材を用いてなる規制部材４３が遊嵌され、規制部材４３の他端がストッパー本体４１の前方に突出するように設けられている。
【０１０３】
ストッパー本体４１は、操作許容孔４２及び操作許容孔４２に遊嵌された規制部材４３によってその回転が規制され、この例では、約１８０度の範囲で回転可能に構成されている。
【０１０４】
ストッパー本体４１は、例えば、ストッパー本体４１を左右に回転させることにより、図４（ａ）に示すように操作許容孔４２の一端部４２ａが規制部材４３に当接した状態となり、図４（ｂ）に示すように操作許容孔４２の他端部４２ｂが規制部材４３に当接した状態となることでストッパー本体４１の回転を規制する。
【０１０５】
図４（ｂ）の状態では、ストッパー本体４１は、ストッパー本体４１の回転中心から切欠部４４までの距離と、ストッパー本体４１の回転中心から版胴１の版固定部材装着面１４までの距離が等しくなるように設けられている。
【０１０６】
フロントストッパー４は、このような外周の一部を切り欠いた形状の切欠部４４を設けて構成されることにより、印刷用版３を版胴１に装着した状態でフロントストッパー４を回転させて切欠部４４を下部に位置させて突出姿勢に設定すれば、印刷用版３が前面側にずれるなどして版胴１の先端側から脱落することなどを防止することができる。
【０１０７】
また、フロントストッパー４を回転させて切欠部４４を上部に位置させた退避姿勢に設定すれば、印刷用版３を版胴１の先端側から着脱させることができる。
【０１０８】
このように、操作許容孔４２に規制部材４３が遊嵌されて構成されることによって、ストッパー本体４１の回転範囲が規制されるようになる。
【０１０９】
回転軸２２の回転に連動したフロントストッパー４の挙動に応じて、ストッパー本体４１は、少なくともその一部が版胴１の外径より外側に突出するように位置する突出姿勢と、その全体が版胴１の外径より外側へ突出しないように位置する退避姿勢とに切り替え可能に構成される。
【０１１０】
上述したように、フロントストッパー４は、版固定部材２を移動動作させる回転軸２２の回転動作に連動して姿勢が切り替わるので、フロントストッパー４及び版固定部材２が同軸に設けられる単純な構造で構成することができる。
【０１１１】
また、フロントストッパー４を回転させるだけの単純操作でフロントストッパー４の突出姿勢及び退避姿勢を相互に切り替えることができ、印刷用版３の着脱に伴う操作が容易である。
【０１１２】
規制部材４３は、その頭部に設けられたナットなどを締め付けることによって、ストッパー本体４１の姿勢を固定することができる固定手段としても機能するように構成されている。
【０１１３】
例えば、ストッパー本体４１が突出姿勢の状態で、規制部材４３のナットを締め付けることによりストッパー本体４１をそのままの姿勢で固定させることができる。
【０１１４】
同様に、ストッパー本体４１を退避姿勢のままで固定させることもでき、突出姿勢及び退避姿勢以外の使用者の所望する姿勢で固定させることも可能である。
【０１１５】
フロントストッパー４が突出姿勢での固定を可能にする固定手段４３を有するので、フロントストッパー４を位置固定しておけば、印刷中などに不本意に姿勢が切り替わるなどする虞がなく、印刷用版３が先端側へずれることや脱落することを常時防止しておくことができる。
【０１１６】
以下では、フロントストッパー４及び版固定部材２を備える版胴１に対する印刷用版３の着脱方法について説明する。
【０１１７】
版装着装置に印刷用版３を取り付ける印刷板装着工程は、フロントストッパー４を回転操作して、ストッパー本体４１を退避姿勢にしておくとともに、版固定部材２を径方向内側に位置させて印刷用版３を径方向外側に押さない状態にしておく。
【０１１８】
円筒状の印刷用版３を版胴１の先端側から嵌め入れ、印刷用版３の嵌合部３４が版胴１の周方向位置決め用突部１１に嵌まり込むように、印刷用版３を後端側へと押し込む。
【０１１９】
印刷用版３の嵌合部３４が版胴１の周方向位置決め用突部１１と噛み合うとともに、印刷用版３の後端が版胴１のエンドストッパー１６に当接して、印刷用版３のそれ以上後方への押し込みが規制される（図１参照）。
【０１２０】
これにより、印刷用版３が、版胴１の所定位置に正確にかつ簡単に取り付けられる。
【０１２１】
また、印刷用版３の内周面の周長は、版胴１の外周面の周長より僅かに大きく設定されているため、印刷用版３を版胴１の形状に合わせて撓ませれば、版装着面１２と印刷用版３の間に隙間が形成され、印刷用版３を版胴１に簡単に取り付けることができる。
【０１２２】
印刷用版３を版胴１に装着できれば、版胴１の先端側に設けられたフロントストッパー４を回転させて突出姿勢に設定する（図４参照）。
【０１２３】
フロントストッパー４は、退避姿勢から僅かに回転させただけで、フロントストッパー４の少なくとも一部が版固定部材装着面１４よりも径方向外側に位置する突出姿勢に切り替わり、印刷用版３が先端側へ移動することを規制する。
【０１２４】
フロントストッパー４の一部が僅かに版固定部材装着面１４よりも径方向外側に位置している状態では、版固定部材２の端面２５の位置は僅かに上昇しているのみで、印刷用版３の軸方向への移動を規制した状態で版固定部材２の高さ位置の調整をすることができるので、版固定部材２の移動動作中に印刷用版３がずれるなどすることがない。
【０１２５】
フロントストッパー４が退避姿勢にある時、版固定部材２は最下位置に位置し、フロントストッパー４が回転軸２２の回転に伴って突出姿勢に切り替えられると、版固定部材装着面１４より外側へのフロントストッパー本体４１の突出量が増加するに伴い、版固定部材２が徐々に上昇して、フロントストッパー本体４１の突出量が最大に達すると版固定部材２は最上位置に位置する。
【０１２６】
フロントストッパー４が回転するとともに、フロントストッパー４の回転中心である回転軸２２の外周に設けられた偏心カム２３も同時に回転動作することになるため、版固定部材２が径方向外側に移動して版固定部材２の端面２５が版胴１の版装着面１２に取り付けた印刷用版３の接合部３３の内周面に当接する。
【０１２７】
更に回転軸２２を回転させることにより、版固定部材２の端面２５が版装着面１２の高さ位置と等しくなるまで径方向外側へ移動させると、印刷用版３に所定の張力が付与されて、印刷用版３が版装着面１２に密着固定される。
【０１２８】
図３（ａ）〜（ｃ）に基づいて詳述すると、回転軸２２を軸心とする偏心カム２３が、回転軸２２の回転に連動して回転することにより、カム孔２４の内周壁が偏心カム２３の外周の一部で上方向へ押圧されて、版固定部材２が版胴１の径方向外側（紙面に向かって上側）へ移動する。
【０１２９】
一方、回転軸２２を回転させて偏心カム２３の外周の一部でカム孔２４の内周壁を下方向へ押圧すると、版固定部材２が版胴１の径方向内側（紙面に向かって下側）へ移動するように構成されている。
【０１３０】
版固定部材２は、版胴１の最も径方向内側に移動すると、版固定部材２の端面２５が版胴１の版装着面１２よりも内側に位置する。
【０１３１】
この時、版固定部材２の端面２５の高さ位置は、版固定部材装着面１４の高さ位置と最小位置幅ＰＬだけの差が生じるように設定される。
【０１３２】
また、版固定部材２が版胴１の最も径方向外側に移動すると、版固定部材２の径方向外側の端面２５は、版固定部材装着面１４よりも最大位置幅ＰＨだけ版胴１の径方向外側に設定される。
【０１３３】
印刷用版３が版胴１に固定されたとき、版固定部材２によって拡径方向に押し出される印刷用版３の接合部３３の外周面高さ位置（径方向位置）は、版固定部材２の端面２５が版胴１の版装着面１２より外側へ突出することがないため、印刷用版３の版部３２の外表面が形成する円筒面より内側に位置するようになっている。
【０１３４】
これにより、版固定部材２により径方向外側に押されて拡径した印刷用版３の一部が、印刷用版３の版部３２を含む外表面が形成する円筒面より外側にはみ出し、印刷用インキ等がその部分に付着して印刷汚れの原因となる事態を未然に防止することができる。
【０１３５】
また、版固定部材２によって押し出される印刷用版３の部分は、シートの両端部が重ね合わされてなる接合部３３であり、版部３２が形成されていない非版部であるから、版部３２が径方向外側に押されることがなく、版部３２の変形を抑えて、印刷品質の低下を防止することができる。
【０１３６】
印刷機により印刷対象物に対して印刷模様を印刷する印刷工程では、上述のように版胴１に印刷用版３が固定されている状態で、版胴１が回転させられる。このとき、版固定部材２によって印刷用版３が版装着面１２に密着固定されて印刷用版３の位置がずれることがない。
【０１３７】
版胴１に装着されている印刷用版３を取り外すときには、フロントストッパー４が退避姿勢となるよう回転軸２２を回転させて、フロントストッパー４の切欠部４４が上側に位置させるとともに、版固定部材２を押圧解除方向に移動させ、没入位置に固定する。
【０１３８】
これにより、版装着面１２及び版固定部材２と印刷用版３との間に隙間が生じ、印刷用版３を軸方向に移動させて、版胴１の一端から簡単に取り外すことができる。
【０１３９】
このように、版胴１の外周面に径方向内外へ移動可能に設けられ、印刷用版３を版装着面１２に密着固定させる版固定部材２を有し、フロントストッパー４は、版固定部材２の径方向外側への移動に連動して、姿勢が切り替わるので、版固定部材２が版胴１の径方向外側へ移動する動作に連動してフロントストッパー４の姿勢が切り替わることにより、印刷用版３が先端側へずれることや脱落することを防止するとともに、版固定部材２によって印刷用版３を版胴１の径方向外側へ押す押圧状態にして、印刷用版３のズレや脱落をより確実に防止することができる。
【０１４０】
また、印刷用版３が先端側へずれることや脱落することの防止操作と、印刷用版３を版胴１の版装着面１２に密着させるための操作を一つの操作で同時に行うことができるので操作の手間が省ける。
【０１４１】
印刷機、版装着装置及び印刷用版３の全体構成および各部の構成は、上述したものに限らず、適宜変更可能である。
【０１４２】
例えば、印刷用版３は、継ぎ目（接合部３３）のない円筒材を用いても良い。
【０１４３】
回転軸２２は、上述では手動で回転させられるようになっているが、電力などの動力によって回転させられてもよい。
【０１４４】
上述したフロントストッパー４は、円周の一部を切り欠いた板状部材からなるものとしたが、例えば、上述した版固定部材２のようにフロントストッパー４の内部に偏心カム２３を設けて、偏心カム２３が回転してフロントストッパー４が径方向内側から径方向外側へ押圧されることにより突出姿勢に切り替えられ、更に偏心カム２３が回転してフロントストッパー４が径方向外側から径方向内側へ押圧されることにより退避姿勢に切り替えられるように構成されるのであってもよい。
【０１４５】
また、例えば、フロントストッパー４自身が偏心した部材から構成され、これを回転させることによって突出姿勢及び退避姿勢に切り替えられるように構成してもよい。
【０１４６】
上述では、操作許容孔４２によってフロントストッパー４の回転が１８０度の範囲に規制されるように説明したが、これに限定されるものではなく、より小さい範囲で回転操作されるように構成するのであってもよいし、より大きな範囲で回転操作されるように構成するのであってもよいし、規制部が設けられない構成であってもよい。
【０１４７】
上述のフロントストッパー４及び版固定部材２は、回転操作により動作するものが好ましいが、これに限定されるものではなく、回転軸２２を押し上げ操作するなどその他の操作によってフロントストッパー４及び版固定部材２が径方向内側から径方向外側へ移動するように構成されるのであってもよい。
【０１４８】
また、フロントストッパー４は、版固定部材２と連動して動作するように構成されることが好ましいが、これに限定されるものではなく、フロントストッパー４及び版固定部材２がそれぞれ個別の操作により動作するように構成してもよい。
【０１４９】
更に上述では、偏心カム２３によって版固定部材２が径方向内側から径方向外側に押されるように説明したが、例えば、版固定部材２自身が偏心した部材から構成され、これを回転させることによって印刷用版３を径方向内側から径方向外側に押すようにしてもよい。
【０１５０】
上述したように、フロントストッパー４は、先端側から円筒状の印刷用版３が嵌め込まれて装着される版装着面１２を有する版胴１であって、先端側の端部にフロントストッパー４が設けられ、フロントストッパー４は、少なくともその一部が版装着面１２より径方向外側に突出するように位置する突出姿勢と、その全体が版装着面１２よりも径方向内側に位置する退避姿勢と、に切り替え可能に構成されるので、版胴１の版装着面１２に
印刷用版３を取り付けてフロントストッパー４を突出姿勢に切り替えると、印刷用版３の端部がフロントストッパー４の少なくとも一部に当接して印刷用版３が先端側へずれることや脱落することを確実に防止することができる。
【０１５１】
また、フロントストッパー４を退避姿勢に切り替えることにより、版胴１の外径が印刷用版３の内径よりも小さくなるので、版胴１の先端側から印刷用版３を容易に着脱することができる。
【０１５２】
以上説明した版胴１を備える版胴１や版装着装置、印刷機及び彫刻機などであっても、同様の効果が得られることは明らかである。
【０１５３】
以上説明した実施形態は、本発明の一例に過ぎず、本発明の作用効果を奏する範囲において具体的構成などを適宜変更設計できることは言うまでもない。
【産業上の利用可能性】
【０１５４】
本発明は、版胴１に装着された印刷用版のズレを防止するストッパーとして用いられる。
【符号の説明】
【０１５５】
１…版胴
２…版固定部材
３…印刷用版
４…フロントストッパー
１２…版装着面
２２…回転軸
４１…ストッパー本体
４３…固定手段（規制部材）
【図１】
0006316121.tif 000002
【図２】
0006316121.tif 000003
【図３】
0006316121.tif 000004
【図４】
0006316121.tif 000005
【図５】
0006316121.tif 000006